(57)【要約】【課題】片持ち状の腕金が容易に回転しない腕金支持装置を提供する。【解決手段】腕金支持装置１０は、連結枠体１と一対のバンド部材２０・２１を備える。連結枠体１は、腕金１ａを水平に片持ち状に支持する。バンド部材２０・２１は、連結枠体１に連結し、電柱Ｐｂの外周を包囲するように締結する。一方のバンド部材２０と電柱Ｐｂの外周との間に配置される板ナット２０ｎを更に備え、一方のバンド部材２０を挟持するように、板ナット２０ｎにボルト２０ｖを締結し、ボルト２０ｖのねじ部が電柱Ｐｂに設けた腕金取り付け用の貫通穴４ｈに挿入することにより、電柱Ｐｂに対して腕金支持装置１０が回転することを防止できる。そして、腕金１ａが回転しないように、電柱Ｐｂに確実に支持できる。【選択図】図１
2013027264.tif 000002
【特許請求の範囲】
【請求項１】
腕金を片持ち状に支持するＣ形チャンネル状の連結枠体と、
この連結枠体に連結し、電柱の外周を包囲するように締結する一対の帯状のバンド部材と、
一方の前記バンド部材と前記電柱の外周との間に配置される板ナットと、
この板ナットに締結するボルトと、備え、
一方の前記バンド部材は、その長手方向に沿って、前記ボルトのねじ部が挿入可能な長穴を幅方向の中央部に有し、
前記板ナットは、
中央部に設けられ、前記ボルトのねじ部が螺合可能な雌ねじ部と、
一方の前記バンド部材の幅方向の両端縁に嵌合すると共に、一方の面の両翼に突出する一対の段差と、を有し、
一方の前記バンド部材を挟持するように、前記板ナットに前記ボルトを締結した状態では、前記ボルトのねじ部は、前記板ナットの他方の面から突出して、前記電柱の高さ方向に開口した腕金取り付け用の貫通穴に挿入されている腕金支持装置。
【請求項２】
前記板ナット及び前記ボルトをそれぞれ二つ有し、
前記電柱の軸中心を間に対向するように、一対の前記板ナットを配置し、
一方の前記バンド部材を挟持するように、前記板ナットに前記ボルトを締結した状態では、前記ボルトのねじ部は、前記板ナットの他方の面から突出して、前記貫通穴の両端部側から挿入されている請求項１記載の腕金支持装置。
【請求項３】
一方の前記バンド部材は、
前記電柱の半周面を囲うように中央部が円弧状に湾曲した締付バンドと、
この締付バンドの両端部側に形成され、相反する向きに屈曲した第１把持片にねじ部材とナットで締結される一対の連結バンドと、を有し、
この連結バンドは、
一端部側に形成され、前記第１把持片に締結される第２把持片と、
他端部側に環状に形成され、前記連結枠体と軸ピンで連結するループ片と、を設けている請求項１又は２記載の腕金支持装置。
【発明の詳細な説明】
【技術分野】
【０００１】
本発明は、腕金支持装置に関する。特に、電線・ケーブル類を架設する片持ち状の腕金が容易に回転しないように、電柱に支持する腕金支持装置の構造に関する。
【背景技術】
【０００２】
一般に、電線・ケーブル類を架設する腕金は、電柱の外周を挟持する一対の円弧状のバンド部材により、電柱に支持されている。これらのバンド部材は、それらの一部を屈曲して、対向するように外方に突出した一対の挟持片を設けている。そして、これらの挟持片は、水平方向に配置された腕金を片持ち状に支持している。このような、水平方向に配置され、片持ち状に支持された腕金は、その支持された形態から、槍出しアームと呼ばれている。
【０００３】
ところで、この槍出しアームは、風などによる変動する荷重（繰り返し荷重）が作用し、槍出しアームの基端部を支持する一対の挟持片に応力が集中して、破損に至る心配がある。このため、集中応力が発生せず、容易に破損することのないように、一対の挟持片の屈曲部に補強用の打ち出しリブを設けた電柱用バンド部材が開示されている（例えば、特許文献１参照）。
【０００４】
又、電柱は、一般に、上方に向かって縮径するテーパー形状に形成されている。このため、電柱の外周を挟持する一対の円弧状のバンド部材は、上方に移動すると、電柱への締め付け力が弱まり、槍出しアームが下り傾斜するように、傾く心配があった。そして、このような不具合を解決するため、電柱に既設された腕金支持装置に支持された槍出しアームの傾きを防止する補強器具が開示されている（例えば、特許文献２参照）。
【０００５】
特許文献２による補強器具は、槍出しアームを支持する一組の第１バンド部材の内、上方に配置された第１バンド部材の上部に隣接された上部バンド部材と、下方に配置された第１バンド部材の下部に隣接された下部バンド部材と、上部バンド部材と下部バンド部材との距離を一定に保つように連結した連結部材と、を備えて構成され、一組の第１バンド部材が上方に移動することが阻止され、これにより槍出しアームの傾きを防止できる、としている。
【先行技術文献】
【特許文献】
【０００６】
【特許文献１】特開２００２−１５２９７５号公報
【特許文献２】特開２００９−１１８５６５号公報
【発明の概要】
【発明が解決しようとする課題】
【０００７】
特許文献１による電柱用バンド部材は、一対の挟持片の屈曲部に補強用の打ち出しリブを設けたので、容易に破損しないとしている。しかし、風などで槍出しアームを突き上げるような力が作用すると、電柱はテーパー形状に形成されているので、電柱への締め付け力が弱まり、槍出しアームが電柱の周りを旋回するように回転するという心配がある。バンド部材の上下方向の移動を阻止でき、槍出しアームが容易に回転しない腕金支持装置が求められている。
【０００８】
又、特許文献２による補強器具は、一組の第１バンド部材が上方にスライドすることを阻止できるが、一組の第１バンド部材は、上部バンド部材及び下部バンド部材に連結しておらず、かつ、電柱を挟持しているだけなので、槍出しアームに横風が繰り返し作用すると、槍出しアームが電柱の周りを旋回するように回転するという心配がある。槍出しアームが容易に回転しない腕金支持装置が求められている。
【０００９】
本発明は、このような課題に鑑みてなされたものであり、電線・ケーブル類を架設する片持ち状の腕金が容易に回転しないように、電柱に支持する腕金支持装置を提供することを目的とする。
【課題を解決するための手段】
【００１０】
本発明者は、腕金を水平に片持ち状に支持するＣ形チャンネル状の連結枠体と、電柱を挟持する一対の帯状のバンド部材と、で腕金支持装置を構成し、一方のバンド部材と電柱の外周との間に配置される板ナットを設け、一方のバンド部材を挟持するように、板ナットにボルトを締結し、このボルトのねじ部が電柱の高さ方向に規則的に開口した腕金取り付け用の貫通穴に挿入されることにより、片持ち状の腕金が容易に回転しないようにできると考え、これに基づいて、以下のような新たな腕金支持装置を発明するに至った。
【００１１】
（１）本発明による腕金支持装置は、腕金を片持ち状に支持するＣ形チャンネル状の連結枠体と、この連結枠体に連結し、電柱の外周を包囲するように締結する一対の帯状のバンド部材と、一方の前記バンド部材と前記電柱の外周との間に配置される板ナットと、この板ナットに締結するボルトと、備え、一方の前記バンド部材は、その長手方向に沿って、前記ボルトのねじ部が挿入可能な長穴を幅方向の中央部に有し、前記板ナットは、中央部に設けられ、前記ボルトのねじ部が螺合可能な雌ねじ部と、一方の前記バンド部材の幅方向の両端縁に嵌合すると共に、一方の面の両翼に突出する一対の段差と、を有し、一方の前記バンド部材を挟持するように、前記板ナットに前記ボルトを締結した状態では、前記ボルトのねじ部は、前記板ナットの他方の面から突出して、前記電柱の高さ方向に開口した腕金取り付け用の貫通穴に挿入されている。
【００１２】
（２）本発明による腕金支持装置は、前記板ナット及び前記ボルトをそれぞれ二つ有し、前記電柱の軸中心を間に対向するように、一対の前記板ナットを配置し、一方の前記バンド部材を挟持するように、前記板ナットに前記ボルトを締結した状態では、前記ボルトのねじ部は、前記板ナットの他方の面から突出して、前記貫通穴の両端部側から挿入されてもよい。
【００１３】
（３）前記ボルトの頭部の座面の直径は、一方の前記バンド部材の幅と略同じになっていることが好ましい。
【００１４】
（４）前記ボルトの頭部の座面が接触する、一方の前記バンド部材の一方の面は、摩擦係数の大きい粗面加工が施されていることが好ましい。
【００１５】
（５）一方の前記バンド部材は、前記電柱の半周面を囲うように中央部が円弧状に湾曲した締付バンドと、この締付バンドの両端部側に形成され、相反する向きに屈曲した第１把持片にねじ部材とナットで締結される一対の連結バンドと、を有し、この連結バンドは、一端部側に形成され、前記第１把持片に締結される第２把持片と、他端部側に環状に形成され、前記連結枠体と軸ピンで連結するループ片と、を設けていることが好ましい。
【発明の効果】
【００１６】
本発明による腕金支持装置は、腕金を水平に片持ち状に支持するＣ形チャンネル状の連結枠体と、電柱を挟持する一対の帯状のバンド部材と、で構成し、一方のバンド部材と電柱の外周との間に配置される板ナットを設け、一方のバンド部材を挟持するように、板ナットにボルトを締結し、このボルトのねじ部が電柱に設けた腕金取り付け用の貫通穴に挿入されることにより、電柱に対して腕金が回転することを防止できる。
【００１７】
又、本発明による腕金支持装置は、一方のバンド部材がその長手方向に沿って、ボルトのねじ部が挿入可能な長穴を幅方向の中央部に有するので、腕金取り付け用の貫通穴の方向に制約されないという利点がある。
【図面の簡単な説明】
【００１８】
【図１】本発明の一実施形態による腕金支持装置の構成を示す正面図である。
【図２】前記実施形態による腕金支持装置に備わる連結枠体を電柱の取り付け面側から観た斜視図である。
【図３】前記実施形態による腕金支持装置の構成を示す平面図であり、一本のボルトが任意の角度で電柱の貫通穴に挿入されている状態図である。
【図４】前記実施形態による腕金支持装置に備わる他方のバンド部材の構成を示す平面図である。
【図５】前記実施形態による腕金支持装置に備わる一方のバンド部材の構成を示す斜視分解組立図である。
【図６】前記実施形態による腕金支持装置に備わる一方のバンド部材の要部を拡大した縦断面図である。
【図７】前記実施形態による腕金支持装置の構成を示す平面図であり、二本のボルトが任意の角度で電柱の貫通穴の両端部側から挿入されている状態図である。
【発明を実施するための形態】
【００１９】
以下、図面を参照して本発明を実施するための形態を説明する。
［腕金支持装置の構成］
最初に、本発明の一実施形態による腕金支持装置の構成を説明する。
【００２０】
図１は、本発明の一実施形態による腕金支持装置の構成を示す正面図である。図２は、前記実施形態による腕金支持装置に備わる連結枠体を電柱の取り付け面側から観た斜視図である。図３は、前記実施形態による腕金支持装置の構成を示す平面図であり、一本のボルトが任意の角度で電柱の貫通穴に挿入されている状態図である。図４は、前記実施形態による腕金支持装置に備わる他方のバンド部材の構成を示す平面図である。
【００２１】
図１から図４を参照すると、本発明の実施形態による腕金支持装置１０は、Ｃ形チャンネル状の連結枠体１と一対の帯状のバンド部材２０・２１を備えている。連結枠体１は、角パイプからなる腕金１ａを水平に片持ち状に支持している。又、連結枠体１は、一対のバンド部材２０・２１に連結している。一方のバンド部材２０は、電柱Ｐｂの外周を包囲するように締結している。同様に、他方のバンド部材２１は、電柱Ｐｂの外周を包囲するように締結している。
【００２２】
図１から図４を参照すると、連結枠体１は、中央部片１２ａと一対の対向する側部片１２ｂ・１２ｂを設けている。中央部片１２ａは、電柱Ｐｂの軸方向と略平行に延びている。又、中央部片１２ａは、その外面が湾曲しており、電柱Ｐｂの外周に部分的に当接できる。
【００２３】
図１又は図３及び図４を参照すると、一対の側部片１２ｂ・１２ｂは、中央部片１２ａの両翼が略直角に折り曲げられて、略平行に延びている。そして、一対の側部片１２ｂ・１２ｂは、一対のコッターピン３・３が挿入される第１係合穴（図示せず）を上部に開口している。
【００２４】
一方、図１又は図３及び図４を参照すると、腕金１ａは、一対のコッターピン３・３が挿入される第２係合穴（図示せず）を基端部に開口している。そして、第１係合穴と第２係合穴とを一致させて、一対のコッターピン３・３を挿入することにより、腕金１ａを連結枠体１に片持ち状に支持している。なお、コッターピン３の先端部には、抜け止め用のピン３ｐを圧入している。
【００２５】
図１又は図４を参照すると、他方のバンド部材２１は、一対の分割された締付バンド片２１ａ・２１ａで構成している。これらの締付バンド片２１ａ・２１ａは、電柱Ｐｂの外周をその両側から囲うように、中央部が円弧状に湾曲している。なお、一方のバンド部材２０の構成は、後述する。
【００２６】
図１又は図４を参照すると、一対の締付バンド片２１ａ・２１ａは、それらの一端部側に挟持片２１ｂ・２１ｂを形成している。これらの挟持片２１ｂ・２１ｂは、ボルト部材２１ｖとナット２１ｎとで締結している。又、一対の締付バンド片２１ａ・２１ａは、それらの他端部側に環状に形成されたループ片２１ｃ・２１ｃを有している。これらのループ片２１ｃ・２１ｃは、軸ピン２１ｐが貫通されて、連結枠体１に連結している。
【００２７】
図１から図４を参照すると、連結枠体１は、一対のＣ形チャンネル状の電柱取り付け脚１３・１３を更に備えている。電柱取り付け脚１３は、中央部片１２ａの幅方向を横断するように配置されている。実施形態では、電柱取り付け脚１３は、連結枠体１に溶接で結合している。そして、電柱取り付け脚１３は、その両端部が中央部片１２ａの幅方向に突出している。
【００２８】
又、図２を参照すると、電柱取り付け脚１３は、湾曲した端縁１３ａと軸ピン２１ｐが嵌合する嵌合穴１３ｈを有している。端縁１３ａは、電柱Ｐｂの外周に部分的に当接できる。嵌合穴１３ｈは、電柱取り付け脚１３の両端部に形成されている。嵌合穴１３ｈとループ片２１ｃの穴を一致させて、軸ピン２１ｐを挿通すると、一対の締付バンド片２１ａ・２１ａと電柱取り付け脚１３を連結できる（図１又は図４参照）。
【００２９】
引き続き、実施形態による腕金支持装置１０の構成を説明する。図５は、前記実施形態による腕金支持装置に備わる一方のバンド部材の構成を示す斜視分解組立図である。図６は、前記実施形態による腕金支持装置に備わる一方のバンド部材の要部を拡大した縦断面図である。図７は、前記実施形態による腕金支持装置の構成を示す平面図であり、二本のボルトが任意の角度で電柱の貫通穴の両端部側から挿入されている状態図である。
【００３０】
図３又は図５を参照すると、一方のバンド部材２０は、締付バンド２０１と一対の連結バンド２０２・２０２で構成している。締付バンド２０１は、電柱Ｐｂの半周面を囲うように、中央部が円弧状に湾曲している。又、締付バンド２０１は、その両端部側に形成され、相反する向きに屈曲した一対の第１把持片２１１・２１１を有している。
【００３１】
又、図５を参照すると、連結バンド２０２は、一端部側に形成された第２把持片２１２と、他端部側に環状に形成されたループ片２２２を有している。第２把持片２１２は、第１把持片２１１に近接するように、皿ねじ２０ｓとナット（図示せず）で挟持されている。ループ片２２２は、連結枠体１と軸ピン２１ｐで連結することができる（図１参照）。
【００３２】
図１又は図３及び図５又は図６を参照すると、腕金支持装置１０は、板ナット２０ｎとボルト２０ｖを更に備えている。板ナット２０ｎは、一方のバンド部材２０と電柱Ｐｂの外周との間に配置されている。板ナット２０ｎは、ボルト２０ｖのねじ部が螺合可能な雌ねじ部２ｆｓを中央部に設けている（図５参照）。そして、ボルト２０ｖは、板ナット２０ｎに締結することができる（図６参照）。
【００３３】
図３及び図５を参照すると、第２把持片２１２が第１把持片２１１に近接するように、皿ねじ２０ｓとナット（図示せず）で挟持すると、締付バンド２０１の略平行に延びる両端部が湾曲するように変形して、電柱Ｐｂの外周を半周以上密着できる。
【００３４】
図５を参照すると、締付バンド２０１は、その長手方向に沿って、ボルト２０ｖのねじ部が挿入可能な長穴２０ｈを幅方向の中央部に有している。又、図５及び図６を参照すると、板ナット２０ｎは、一方の面の両翼に突出する一対の段差２０ｄ・２０ｄを有している。そして、図６に示されるように、これらの段差２０ｄ・２０ｄの間に、一方のバンド部材２０の幅方向の両端縁を嵌合できる。
【００３５】
図５又は図６を参照すると、ボルト２０ｖの頭部の座面の直径は、一方のバンド部材２０（締付バンド２０１）の幅と略同じになっていることが好ましい。又、ボルト２０ｖの頭部の座面が接触する、締付バンド２０１の一方の面は、摩擦係数の大きい粗面加工が施されていることが好ましい。これにより、振動などによるボルト２０ｖの緩みを防止できる。
【００３６】
図６を参照すると、一方のバンド部材２０を挟持するように、板ナット２０ｎにボルト２０ｖを締結している。図６に示された状態では、ボルト２０ｖのねじ部は、板ナット２０ｎの他方の面から突出して、電柱Ｐｂの先端部側に設けた腕金取り付け用の貫通穴４ｈに挿入している。
【００３７】
図３又は図５を参照して、電柱Ｐｂの高さ方向に規則的に開口した腕金取り付け用の貫通穴４ｈと、板ナット２０ｎに設けた雌ねじ部２ｆｓとを一致させて、締付バンド２０１を挟持するためにボルト２０ｖを板ナット２０ｎに締結し、更にボルト２０ｖのねじ部を貫通穴４ｈに挿入することにより、電柱Ｐｂに対して腕金が回転することを防止できる。なお、図３又は図５を参照すると、腕金支持装置１０は、電柱Ｐｂの最上部に開口した貫通穴４ｈを利用した実施例を示している。
【００３８】
図７を参照して、腕金支持装置１０は、板ナット２０ｎ及びボルト２０ｖをそれぞれ二つ有している。図７を参照すると、電柱Ｐｂの軸中心を間に対向するように、一対の板ナット２０ｎ・２０ｎを配置している。
【００３９】
図７に示すように、貫通穴４ｈと板ナット２０ｎに設けた雌ねじ部２ｆｓとを一致させて（図５参照）、締付バンド２０１を挟持するためにボルト２０ｖを板ナット２０ｎに締結し、更にボルト２０ｖのねじ部を貫通穴４ｈの両端部側から挿入することにより、電柱Ｐｂに対して腕金が回転することをより確実に防止できる。
【００４０】
［腕金支持装置の作用］
次に、実施形態による腕金支持装置１０の組立手順の一例を説明しながら、腕金支持装置１０の構成を補足すると共に、腕金支持装置１０の作用及び効果を説明する。
【００４１】
図１又は図４を参照して、最初に、連結枠体１を組み立てる。腕金１ａの基端部を一対の側部片１２ｂ・１２ｂの間に挿入し、一対の側部片１２ｂ・１２ｂに設けた第１係合穴と腕金１ａに設けた第２係合穴を一致させて、一対のコッターピン３・３を挿入する。次に、コッターピン３の先端部に抜け止め用のピン３ｐを圧入して、腕金１ａを連結枠体１に支持できる。
【００４２】
次に、図１から図４を参照して、他方のバンド部材２１を組み立てる。一対の締付バンド片２１ａ・２１ａが開いた状態で、ループ片２１ｃに設けた貫通穴と電柱取り付け脚１３の端部に設けた嵌合穴１３ｈを一致させて、軸ピン２１ｐを挿入する。次に、軸ピン２１ｐの先端部に抜け止め用のピンを圧入して、一対の締付バンド片２１ａ・２１ａを連結枠体１に連結できる。
【００４３】
次に、図１又は図３を参照して、電柱Ｐｂの外周を囲うように、一対の締付バンド片２１ａ・２１ａを閉じて、互いの挟持片２１ｂ・２１ｂを対向させる。次に、これらの挟持片２１ｂ・２１ｂが互いに近づくように、ボルト部材２１ｖとナット２１ｎで締結する。この場合、これらの挟持片２１ｂ・２１ｂを緩やかに締結しておくことが好ましく、腕金支持装置１０を電柱Ｐｂに仮固定する。
【００４４】
次に、一方のバンド部材２０を組み立てる。図３又は図５を参照して、一対の連結バンド２０２・２０２が開いた状態で、ループ片２２２に設けた貫通穴と電柱取り付け脚１３の端部に設けた嵌合穴１３ｈを一致させて、軸ピン２１ｐを挿入する。次に、軸ピン２１ｐの先端部に抜け止め用のピンを圧入して、一対の連結バンド２０２・２０２を連結枠体１に連結できる。
【００４５】
次に、図３又は図５を参照して、電柱Ｐｂの外周を囲うように、一対の連結バンド２０２・２０２を閉じると共に、一対の連結バンド２０２・２０２と締付バンド２０１を対向させる。次に、第１把持片２１１と第２把持片２１２が互いに近づくように、皿ねじ２０ｓとナットで締結する。この場合、貫通穴４ｈと板ナット２０ｎに設けた雌ねじ部２ｆｓとを一致させて、板ナット２０ｎを締付バンド２０１と電柱Ｐｂの外周との間に配置しておくことが好ましい。
【００４６】
次に、図３又は図５に示すように、締付バンド２０１を挟持するためにボルト２０ｖを板ナット２０ｎに締結し、更にボルト２０ｖのねじ部を貫通穴４ｈに挿入することにより、電柱Ｐｂに対して腕金支持装置１０が回転することを防止できる。そして、一連の組立作業を終了する。なお、上述した組立手順は、一例を示したものであって、これに限定されない。適宜な組立手順を選択できる。
【００４７】
図１から図４を参照すると、実施形態による腕金支持装置１０は、腕金１ａを水平に片持ち状に支持するＣ形チャンネル状の連結枠体１と、連結枠体１と連結する一対の帯状のバンド部材２０・２１で構成している。
【００４８】
図１から図７を参照すると、実施形態による腕金支持装置１０は、一方のバンド部材２０と電柱Ｐｂの外周との間に配置される板ナット２０ｎを設け、一方のバンド部材２０を挟持するように、板ナット２０ｎにボルト２０ｖを締結し、ボルト２０ｖのねじ部が電柱Ｐｂに設けた腕金取り付け用の貫通穴４ｈに挿入されることにより、腕金支持装置１０が電柱Ｐｂの回りを回転することを防止できる。
【００４９】
このように、実施形態による腕金支持装置１０は、電柱Ｐｂに対して腕金１ａが回転することを防止できる。図３及び図５を参照すると、実施形態による腕金支持装置１０は、一方のバンド部材２０がその長手方向に沿って、ボルト２０ｖのねじ部が挿入可能な長穴２０ｈを幅方向の中央部に有するので、腕金取り付け用の貫通穴４ｈの方向に制約されないという利点がある。つまり、電柱Ｐｂへの施工が容易になるといる利点がある。
【００５０】
本発明の実施形態による腕金支持装置を用いて、工事を実施すれば、片持ち状に支持された腕金、いわゆる、槍出しアームを電柱に確実に支持できるので、槍出しアームが強風や振動などで容易に回転できないようにでき、信頼性及び安全性が向上する。
【００５１】
又、本発明の実施形態による腕金支持装置を用いることによって、既存の腕金支持金物より軽量化でき、組立作業が効率化することを期待できる。
【００５２】
本発明は、テーパーを有するコンクリート柱に好適な腕金支持装置を開示したが、実施形態による腕金支持装置は、テーパーを有する鋼管柱にも適用できる。又、このコンクリート柱は、送電、配電、通信及び信号などを用途としてもよく、鉄道又は軌道における電線路を用途としてもよい。
【符号の説明】
【００５３】
１  連結枠体
１ａ  腕金
２ｆｓ  雌ねじ部
４ｈ  貫通穴（腕金取り付け用の貫通穴）
１０  腕金支持装置
２０  バンド部材（一方のバンド部材）
２０ｄ・２０ｄ  一対の段差
２０ｈ  長穴
２０ｎ  板ナット
２０ｖ  ボルト
２１  バンド部材（他方のバンド部材）
Ｐｂ  電柱
【図１】
2013027264.tif 000003
【図２】
2013027264.tif 000004
【図３】
2013027264.tif 000005
【図４】
2013027264.tif 000006
【図５】
2013027264.tif 000007
【図６】
2013027264.tif 000008
【図７】
2013027264.tif 000009